(57)【要約】  本発明はテレビ会議及びマルチメディア・メッセージ通信に関していて、混在会議での全参加者の能力を高めるために、音声参加者が接続する通信システムの能力を利用する。好ましい実施例では、音声参加者にＭＭＳ装置を提供し、ＭＭＳエンジンが、ＭＭＳメッセージ通信に添付されたテレビ会議のデータを、定期的に又は特定事象で捕捉して、ＭＭＳ装置に送る。反対方向で、ＭＭＳ装置はマルチメディア・データを、ＩＰアドレス添付が可能なＭＭＳエンジンに送られるＭＭＳメッセージ通信に添付することにより、通常のテレビ会議の参加者にマルチメディア・データを提供する。ＭＭＳエンジンはマルチメディア・データを分離してテレビ会議に適合したフォーマットに変換する。そして、変換されたマルチメディア・データがテレビ会議の参加者に提供される。そして、テレビ会議に含まれる他のマルチメディアのストリームと同様に処理される。
2007513537.tif 000002
【特許請求の範囲】
【請求項１】
テレビ会議にＭＭＳ機能を採用するために専用のＭＭＳエンジンで、各テレビ会議用エンド・ポイントと関連した１以上のビデオ参加者と各ＭＭＳ装置と関連した１以上の音声参加者が含まれ、
１以上のテレビ会議用エンド・ポイント及び（又は）ＭＣＵから始まるデータ供給源からのテレビ会議用データを捕捉するように構成された捕捉手段、
前記テレビ会議用データをＭＭＳに添付しうるフォーマットに変換するように構成された変換手段、
前記変換されたテレビ会議用データをＭＭＳメッセージに添付し、又、前記ＭＭＳメッセージ内に各ＭＭＳ装置と関連したアドレスを挿入するように構成されたメッセージ発生手段、
前記挿入されたアドレスに基づいて前記ＭＭＳメッセージを伝送するように構成された伝送手段、
定期的に及び（又は）１以上の事前に決定された事象で、前記の捕捉、変換、メッセージ発生及び伝送の手段を開始するように調節されたコントローラー、
を特徴とするＭＭＳエンジン。
【請求項２】
前記事象のひとつが、前記ビデオ供給源を変えられたとき、又は、以前に捕捉されたテレビ会議用のデータと前記データ供給源から生じたコンテンツの間の差が事前決定されたしきい値より大きいときに前記事象のひとつが生じることを特徴とする請求項１に基づくＭＭＳエンジン。
【請求項３】
テレビ会議用データの更新請求を各ＭＭＳ装置から受取ったときに、前記事象のひとつが生じることを特徴とする請求項１に基づくＭＭＳエンジン。
【請求項４】
ビデオ又は音声の参加者がテレビ会議から離れ、又は、参入したときに前記事象のひとつが生じることを特徴とする請求項１に基づくＭＭＳエンジン。
【請求項５】
テレビ会議用データが、前記ＭＭＳメッセージ内の対応するＭＭＳ入力部内に挿入され、前記アドレスが前記各ＭＭＳ装置と関連するＭＭＳサーバーのアドレスであることを特徴とする前記請求項のひとつに基づくＭＭＳエンジン。
【請求項６】
前記テレビ会議用データがスナップショットであることを特徴とする前記請求項のひとつに基づくＭＭＳエンジン。
【請求項７】
前記テレビ会議用データがビデオ・シーケンスであることを特徴とする請求項１−５に基づくＭＭＳエンジン。
【請求項８】
テレビ会議用データが各ＭＭＳ装置内で結合され、リアルタイムのビデオを生じることを特徴とする請求項６又は７に基づくＭＭＳエンジン。
【請求項９】
ＭＭＳエンジンがゲートウエー、ＭＣＵ又はエンド・ポイントに組込まれ、又は、接続されていることを特徴とする前記請求項のひとつに基づくＭＭＳエンジン。
【請求項１０】
テレビ会議にＭＭＳ機能を採用するために専用のＭＭＳエンジンで、各テレビ会議用エンド・ポイントと関連した１以上のビデオ参加者と各ＭＭＳ装置と関連した１以上の音声参加者が含まれ、
各ＭＭＳ装置からＭＭＳメッセージを受信し、かつ、添付されたマルチメディア・データを分離するように構成されたＭＭＳ受信手段、
前記マルチメディア・データをテレビ会議に適合するフォーマットに変換するように構成された変換手段、
前記変換されたマルチメディア・データを各テレビ会議用エンド・ポイントに供給するように構成された伝送手段、
前記変換及び伝送の手段を定期的に及び（又は）１以上の事前決定された事象で始めるように調節されたコントローラー、
を特徴とするＭＭＳエンジン。
【請求項１１】
さらに、ＭＭＳ受信手段が、ＭＭＳメッセージに含まれている送信者又は受信者のアドレスを調査することによりＭＭＳメッセージがテレビ会議と関連していると決定し、そのメッセージからテレビ会議の会議ＩＤを発見するように構成されていて、又、その伝送手段がさらに変換されたマルチメディア・データを会議ＩＤに基づいてテレビ会議用エンド・ポイントに伝送するように構成されていることを特徴とする請求項１０に基づくＭＭＳエンジン。
【請求項１２】
テレビ会議がＭＣＵを含み、ＭＣＵを通じて、前記各テレビ会議用エンド・ポイントに達する前に、前記変換されたマルチメディア・データを伝送することを特徴とする請求項１０又は１１に基づくＭＭＳエンジン。
【請求項１３】
前記事象のひとつが以前に受信したマルチメディア・データとＭＭＳ装置内で発生した対応するマルチメディア・データの間の差が事前に決定されたしきい値より大きいときに生じることを特徴とする請求項１０−１２のひとつに基づくＭＭＳエンジン。
【請求項１４】
１以上のビデオ又は音声の参加者がテレビ会議から去るか又は参入したときに、前記事象のひとつが生じることを特徴とする請求項１０−１２のひとつに基づくＭＭＳエンジン。
【請求項１５】
前記マルチメディア・データがＭＭＳ装置内に記憶されていたイメージ、又は、そのＭＭＳ装置に接続している又は組込まれているカメラにより捕捉されているイメージであることを特徴とする請求項１０−１４のひとつに基づくＭＭＳエンジン。
【請求項１６】
前記マルチメディア・データがビデオ・シーケンスであることを特徴とする請求項１０−１４のひとつに基づくＭＭＳエンジン。
【請求項１７】
変換されたマルチメディア・データが結合されて、リアルタイムのビデオを作成することを特徴とする請求項１５又は１６に基づくＭＭＳエンジン。
【請求項１８】
前記変換されたマルチメディア・データが、そのテレビ会議に関連する他のマルチメディアのストリームとして処理されることを特徴とする請求項１０−１７のひとつに基づくＭＭＳエンジン。
【請求項１９】
ＭＭＳエンジンがゲートウエー、ＭＣＵ又はエンド・ポイントに組込まれた又は接続されていることを特徴とする請求項１０−１８のひとつに基づくＭＭＳエンジン。
【請求項２０】
テレビ会議にＭＭＳ機能を採用する方法で、各テレビ会議用エンド・ポイントと関連した１以上のビデオ参加者と各ＭＭＳ装置と関連した１以上の音声参加者が含まれていて、
１以上のテレビ会議用エンド・ポイント又はＭＣＵを起源とするデータ供給源からのテレビ会議用データを捕捉すること、
前記テレビ会議用データをＭＭＳに添付できるフォーマットに変換すること、
前記変換されたテレビ会議用データをＭＭＳメッセージに添付すること、
各ＭＭＳ装置と関連したアドレスを前記ＭＭＳメッセージに挿入すること、
前記ＭＭＳメッセージを前記挿入したアドレスに基づいて伝送すること、
定期的に、及び（又は）、１以上の事前に決定された事象で、前記の捕捉、変換、添付、挿入及び伝送のステップを開始すること、
の各ステップを特徴とする方法。
【請求項２１】
テレビ会議用データが前記ＭＭＳメッセージ内の対応するＭＭＳ入力部内に挿入されること、及び、前記アドレスが前記各ＭＭＳ装置と関連するＭＭＳサーバーのアドレスであること、
を特徴とする請求項２０に基づく方法。
【請求項２２】
前記テレビ会議用データがスナップショットであることを特徴とする請求項２０又は２１に基づく方法。
【請求項２３】
前記テレビ会議用データがビデオ・シーケンスであることを特徴とする請求項２０又は２１に基づく方法。
【請求項２４】
以下の追加ステップ：
リアルタイムのビデオを作成している各ＭＭＳ装置内で連続的に受信したテレビ会議用データを結合すること、
を特徴とする請求項２０−２３のひとつに基づく方法。
【請求項２５】
テレビ会議にＭＭＳ機能を採用する方法で、各テレビ会議用エンド・ポイントと関連した１以上のビデオ参加者と各ＭＭＳ装置と関連した１以上の音声参加者が含まれていて、
各ＭＭＳ装置からＭＭＳメッセージを受信すること、
各ＭＭＳ措置に添付されたマルチメディア・データを分離すること、
テレビ会議に適合したフォーマットに前記マルチメディア・データを変換すること、
各テレビ会議のエンドポイントに前記の変換されたマルチメディア・データを供給すること、
前記の変換及び伝送のステップを定期的に、及び（又は）、１以上の事前に決定された事象で開始すること、
を特徴とする方法。
【請求項２６】
以下の追加ステップ：
ＭＭＳメッセージ内に含まれる送信者又は受信者のアドレスを調査すること、それからテレビ会議の会議ＩＤを発見すること、
会議ＩＤに基づいてテレビ会議のエンド・ポイントに、変換したマルチメディア・データを供給すること、
を特徴とする請求項２５に基づく方法。
【請求項２７】
前記マルチメディア・データが、ＭＭＳ装置に記憶されたイメージ又はＭＭＳ装置に接続した又は組込まれたカメラにより捕捉されたイメージであることを特徴とする請求項２５又は２６に基づく方法。
【請求項２８】
前記マルチメディア・データがビデオ・シーケンスであることを特徴とする請求項２５又は２６に基づく方法。
【請求項２９】
以下の追加ステップ：
リアルタイムのビデオを作成するために変換されたマルチメディア・データを結合すること、
を特徴とする請求項２５−２８のひとつに基づく方法。
【請求項３０】
以下の追加ステップ：
テレビ会議と関連している他のマルチメディアのストリームとして、前記変換されたマルチメディア・データを扱うこと、
を特徴とする請求項２５−２９のひとつに基づく方法。
【発明の詳細な説明】
【技術分野】
【０００１】
本発明はテレビ会議及びマルチメディア・メッセージ通信に関する。
【背景技術】
【０００２】
同一区域に位置しない参加者を含めた会議を行うために、いくつかの技術システムを利用できる。これらのシステムはテレビ会議、ウエッブ（ｗｅｂ）会議、音声会議を含む。
【０００３】
実際の会合の最も現実的な代替案は高度のテレビ会議システムである。通常のテレビ会議システムは、ＷＡＮ、ＬＡＮ及び（又は）回線切替えネットワークを通じて、リアル・タイム（ｒｅａｌ  ｔｉｍｅ）のビデオ（ｖｉｄｅｏ）、音声及び（又は）データのストリーム（ｓｔｒｅａｍ）を通すいくつかのエンド・ポイント（ｅｎｄ  ｐｏｉｎｔｓ）から成っている。そのエンド・ポイントには１以上のモニター（ｍｏｎｉｔｏｒ）、カメラ、マイクロフォン及び（又は）データ捕捉装置及びコーデック（ｃｏｄｅｃ）を含んでいる。コーデックはそれぞれ流出及び流入するストリームの符号化及び符号解読を行う。さらに、多数のエンド・ポイントをお互いに接続するために、多点制御ユニット（ｍｕｌｔｉｐｏｉｎｔ  ｃｏｎｔｒｏｌ  ｕｎｉｔ，  ＭＣＵ）として知られている集中源を必要としている。そのＭＣＵはこの接続を、点から点への接続を通じてエンド・ポイント・ターミナル（ｅｎｄ  ｐｏｉｎｔ  ｔｅｒｍｉｎａｌ）からマルチメディア信号（音声、映像及び（又は）データ）を受けて、受信した信号を処理して、その処理した信号を会議内で選ばれたエンド・ポイント・ターミナルに再伝送することにより行う。
【０００４】
しかしながら、種々の会議システムはお互いに分離していない。会議のミーティング（ｍｅｅｔｉｎｇ）がより普通になっていて、会議技術が進歩しているので、現在、種々の会議技術が結合されているように見える。伝統的なテレビ会議内で、ウエッブ全体又は音声の参加者が見られるのは異常ではない。
【０００５】
しかしながら、音声及びウエッブの参加者は、エンド・ポイントとシステムの両方の限界により、伝統的なテレビ会議に接続する時に会議機能の全ての利点を得ていない。音声の参加者は会議中に他の参加者又はデータ表示を見ることができない。その一方で、テレビの参加者は音声参加者の存在を必ずしも認識していない。後者については、音声参加者が存在していることを示すために、ビデオ・イメージ（ｖｉｄｅｏ  ｉｍａｇｅ）内のピクチャー（ｐｉｃｔｕｒｅ）の代わりに音声参加者のアイコン（ｉｃｏｎ）を示すことにより、ある場合に解決できる。しかしながら、これでは、参加者自身の情報が少ないか、全く示せない。
【発明の開示】
【課題を解決するための手段】
【０００６】
本発明の目的は、会議の機能を改善するために、通常のテレビ会議への音声の参加を可能にする装置及び方法を提供することである。
【０００７】
添付した独立請求項で定義された機能がこの装置と方法の特徴になっている。
【０００８】
特に、本発明は、各テレビ会議用エンド・ポイントに関連して１以上のビデオ参加者及び各ＭＭＳ装置に関連して１以上の音声参加者を含むテレビ会議にＭＭＳ機能を導入するように調節されたＭＭＳエンジンを開示している。そのＭＭＳエンジンに含まれるのは、１以上のテレビ会議用エンド・ポイントを起源とするデータ供給源からテレビ会議のデータを捕捉するように構成された捕捉手段、前記テレビ会議のデータを適当なフォーマット
（ｆｏｒｍａｔ）に変換するように構成された変換手段、前記変換されたテレビ会議のデータをメッセージに添付するように、又、前記メッセージ内に各ＭＭＳ装置と関連したアドレス（ａｄｄｒｅｓｓ）を挿入するように構成されたメッセージ（ｍｅｓｓａｇｅ）発生手段、及び、前記挿入されたアドレスに基づいて前記メッセージを伝送するように構成された伝送手段である。マルチメディア・データを反対方向に伝送する目的で、ＭＭＳエンジンにはＭＭＳ受信手段が含まれ、それは各ＭＭＳ装置からＭＭＳメッセージを受信して、添付されているマルチメディア・データを分離するように構成されている。変換手段は前記マルチメディアをテレビ会議に適合したフォーマットに変換するように構成されている。又、伝送手段は前記の変換されたマルチメディア・データを各テレビ会議用エンド・ポイントに供給するように構成されている。
【０００９】
さらに、本発明は、ＭＭＳエンジンの範囲に対応させる方法を含んでいる。
【発明を実施するための最良の形態】
【００１０】
以下で、好ましい実施例を説明することにより、又、添付図面を参照することにより、本発明を論じている。しかしながら、当業の技術者であれば、添付した独立請求項に定義されている本発明の範囲で他の応用と修正を実現できるだろう。
【００１１】
本発明は音声参加者が接続している通信システムの能力を利用して、混在会議内の全参加者の機能を改善する。デジタル通信ネットワーク内には多くのマルチメディア機能がある。一例は、第三世代パートナーシップ・プロジェクト（ｔｈｅ  ｔｈｉｒｄ  Ｇｅｎｅｒａｔｉｏｎ  Ｐａｒｔｎｅｒｓｈｉｐ  Ｐｒｏｊｅｃｔ）により標準化されたマルチメディア・メッセージング・システム（Ｍｕｌｔｉｍｅｄｉａ  Ｍｅｓｓａｇｉｎｇ  Ｓｙｓｔｅｍ，  ＭＭＳ）である。
【００１２】
ＭＭＳは人気が高いＳＭＳメッセージング・システムから発展して、無線用アプリケーション・プロトコル（Ｗｉｒｅｌｅｓｓ  Ａｐｐｌｉｃａｔｉｏｎ  Ｐｒｏｔｏｃｏｌ，
ＷＡＰ）を用いている。ＷＡＰは移動無線通信ネットワークを介してインターネット・サーバーと通信することをモバイル・デバイス（ｍｏｂｉｌｅ  ｄｅｖｉｃｅｓ）に許すプロトコール（ｐｒｏｔｏｃｏｌ）である。コンピューターのモニター・ディスプレー（ｍｏｎｉｔｏｒ  ｄｉｓｐｌａｙｓ）（一般に、少なくとも６４０×４８０画素）と比較して、モバイル・デバイスのディスプレーは非常に小さいので（一般に１５０×１５０画素）、コンピューターのモニターに表示するように設計されたウエッブサイト（ｗｅｂｓｉｔｅ）は、実際にはモバイル・デバイスに表示できない。さらに、モバイル・デバイスはパソコンと比較して処理能力はかなり低い。
【００１３】
従って、ＷＡＰはモバイル・デバイスがモバイル・デバイス上に表示するように設計された特別なインターネット・サイト（Ｉｎｔｅｒｎｅｔ  ｓｉｔｅｓ）にアクセスできるように、又、モバイル・デバイスとインターネットの間のインタフェース（ｉｎｔｅｒｆａｃｅ）を提供するように開発された。しかしながら、ＭＭＳはマルチメディア・メッセージの送信・受信をするための規格である。マルチメディア・メッセージはフォーマットされたテキスト（ｔｅｘｔ）、イメージ（ｉｍａｇｅ）、写真、音声・ビデオのクリップ（ｃｌｉｐ）の組合わせを含めることができる。イメージは、ＧＩＦ、ＪＰＥＧのような任意の標準フォーマットとしうる。ＭＰＥＧ４のようなビデオのフォーマット及びＭＰ３及びＭＩＤＩのような音声フォーマットもＭＭＳによりサポート（ｓｕｐｐｏｒｔ）されている。
【００１４】
ＭＭＳメッセージの典型的フォーマットを図１に示す。ＭＭＳメッセージにはヘッダー（ｈｅａｄｅｒ）  １を含み、そのヘッダー１はルーティング（ｒｏｕｔｉｎｇ）情報及びＭＭＳメッセージの受信者と送信者のアドレスを供給する。メッセージ本体にはマルチ
メディア・メッセージが含まれ、それに含まれるのは：ＪＰＥＧの形になっているイメージ、フォーマットされ、又は、無処理のテキスト、波形ファイルの形での音声、ＭＰＥＧファイルの形でのビデオであり、選択肢としてマルチメディア・メッセージの受信者へのマルチメディア・コンテンツ（ｍｕｌｔｉｍｅｄｉａ  ｃｏｎｔｅｎｔ）を表示する表示ファイルが含まれる。
【００１５】
伝統的ピアツーピア（ｐｅｅｒ−ｔｏ−ｐｅｅｒ）ＭＭＳルーティング（ｒｏｕｔｉｎｇ）内のＭＭＳトラフィック・ルーティング・シーケンス（ｔｒａｆｆｉｃ  ｒｏｕｔｉｎｇ  ｓｅｑｕｅｎｃｅ）の図示を図２で行っている。モバイル・デバイスのユーザーは、そのユーザーが他のモバイル・デバイスに送信したいＭＭＳメッセージを有している。そのモバイル・デバイスはＭＭＳメッセージをＰＬＭＮ  Ｘを介してＭＭＳサーバー（ｓｅｒｖｅｒ）に送信する。そのＭＭＳサーバーはＳＭＰＴとｅメール・アドレスを用いて、インターネットを通してメッセージを送る。モバイル・デバイスにより送られたメッセージは受信者のＭＳＩＳＤＮ番号に送られる。ＭＭＳサーバーは、マルチメディア・メッセージを受信者のＭＭＳサーバーに送るために受信者のＭＭＳサーバーのアドレスを決定しなければならない。ＭＭＳサーバーがＭＳＩＳＤＮ番号により、受信者のモバイル・デバイスのＭＭＳサーバーを特定できる場合、マルチメディア・メッセージがインターネットを介して、ＳＭＰＴと受信者のＭＭＳサーバーのｅメール・アドレスを用いて、受信者のＭＭＳサーバーに送られる。そして、ＭＭＳサーバーは、プッシュ・アクセス・プロトコール（ＰＡＰ）サーバーにマルチメディア・メッセージの通告を送る。ＰＡＰサーバーは、ＷＡＰフォーラム・スタンダード（ｆｏｒｕｍ  ｓｔａｎｄａｒｄ）を用いて、モバイル・デバイスにメッセージをプッシュ（ｐｕｓｈ）するためのプッシュ・ゲートウエー（Ｐｕｓｈ  Ｇａｔｅｗａｙ）である。ＰＡＰサーバーは第二のＰｕｂｌｉｃ  Ｌａｎｄ  Ｍｏｂｉｌｅ  Ｎｅｔｗｏｒｋ  Ｙ  （ＰＬＭＮ  Ｙ）を介して、モバイル・デバイスに通告を送る。受信者のモバイル・デバイスはＰＬＭＮ  Ｙを介してＭＭＳサーバーからＭＭＳメッセージを引き出す（ｐｕｌｌ）。モバイル・デバイスのプル（ｐｕｌｌ）に応答して、ＭＭＳサーバーはマルチメディア・メッセージをＰＬＭＮ  Ｙを介して、受信者のモバイル・デバイスに送る。マルチメディア・メッセージはモバイル・デバイスに受信され、そこでモバイル・デバイスのユーザー（ｕｓｅｒ）に提示（ｐｒｅｓｅｎｔ）、プレー（ｐｌａｙ）、又は、表示（ｄｉｓｐｌａｙ）される。
【００１６】
本発明の基盤は、テレビ会議内の音声参加者の機能と利益を高めるためにＭＭＳシステムのアーキテクチャー（ａｒｃｈｉｔｅｃｔｕｒｅ）とマルチメディア機能を用いることである。好ましい一実施例を図３に示す。図２のアーキテクチャーと比較すると、同等者の一人に関連した左側のＭＭＳインフラストラクチャー（ｉｎｆｒａｓｔｒｕｃｔｕｒｅ）をテレビ会議システムと置換えている。そのシステムにはローカル・エリア・ネットワーク（ＬＡＮ）に接続された関連する第一のＭＣＵ１と共に第一番のエンド・ポイント（ＥＰ）が含まれる。さらに、それがさらにＭＭＳエンジンと補完し合っている組込みゲートウエーであるネットワーク・サーバーに接続している。関連する第二のＭＣＵ２を伴う第二番のＥＰｓも、又、ＩＳＤＮラインを通じてネットワーク・サーバーと通信している。
【００１７】
ＥＰｓ、ＭＣＵｓ、ゲートウエーは従来のテレビ会議のノード（ｎｏｄｅｓ）と同様にテレビ会議システムで動作する。ＥＰｓはマルチメディアのデータを捕捉して、そのデータを符号化し、ＭＣＵｓでさらに処理するためにそれを送る。ＭＣＵｓでの処理ではビデオの結合が行われ、符号化されたマルチメディア・データの信号が準備されて、参加する会議用ＥＰｓのそれぞれに送られる。さらに、それはマルチメディア・データの信号の符号解読をして、各ユーザーに提示する。ゲートウエーは種々のプロトコールで動作するＥＰｓとＭＣＵｓの間で通信を行う。ゲートウエーの最も重要な任務はＩＳＤＮを通じた伝送に専用のマルチメディア・データをＩＰ伝送に専用のマルチメディア・データに変換す
ることである。通常、ゲートウエーはＬＡＮを外部のＩＳＤＮ接続に接続するために用いられ、企業のＥＰｓを外部のＥＰｓと通信できるようにする。
【００１８】
本発明の好ましい実施例では、ゲートウエーはネットワーク・サーバーに組込まれていて、さらに、ＭＭＳエンジンを含み、テレビ会議での音声参加者の機能向上を行う。ＭＭＳエンジンとゲートウエーがある程度類似した特性を有しているので、それらは同じノードに組込まれることは以下の説明から明らかになる。一例として、ＭＭＳエンジンとゲートウエーの両方がプロトコール変換を行う。そして、それらは両方ともローカル通信網と公衆通信網の間の境界に配置される。
【００１９】
ＭＭＳエンジンはテレビ会議のコンテンツを通常のＭＭＳに変換して、例えば、ＭＭＳメッセージを受信するように調節されたセルラー・フォン（ｃｅｌｌｕｌａｒ  ｐｈｏｎｅ）を用いて１以上の音声参加者に伝送される。反対に、ＭＭＳエンジンは１以上の音声参加者から受信したＭＭＳコンテンツを、音声参加者が参加するテレビ会議に適用できるフォーマットに変換する。
【００２０】
ＭＭＳエンジンの一実施例が図４に示されている。データ・バス（ｄａｔａ  ｂｕｓ）の左側に、いくつかの一時的なＩ／Ｏメモリー（ｍｅｍｏｒｉｅｓ）が示されていて、コントローラー（Ｃｏｎｔｒｏｌｌｅｒ）とプロセッサー（Ｐｒｏｃｅｓｓｏｒ）に加えて、それぞれが従来のテレビ会議用フォーマットのメディア・データと関連している。データ・バスの右側にも、いくつかの一時的Ｉ／Ｏメモリーが示されていて、ＭＭＳメッセージのＩ／Ｏメモリーに加えて、それぞれが、典型的なＭＭＳメッセージ用フォーマット内の各フィールド（ｆｉｅｌｄ）と関連している。
【００２１】
ここで、最初に示した変換方向に注目して、ＥＰ１から捕捉して、他の全ての参加者に伝送されたビデオ・ピクチャー（ｖｉｄｅｏ  ｐｉｃｔｕｒｅ）を現在見ているテレビ会議を考えたい。符号化されたビデオ・ピクチャーがＭＣＵ  １を介して、ＩＰネットワークを通り、ネットワーク・サーバーに送られる。ネットワーク・サーバーでは、符号化されたビデオ・ピクチャーが解読され、ＱＣＩＦ、ＣＩＦ又は４ＣＩＦのような通常のテレビ会議用フォーマットのビデオ・ピクチャーを供給する。
【００２２】
ＭＭＳエンジンは事前決定された一定の時間的間隔で、又は、一定事象で、即ち、ビデオ・ピクチャーを構成する静止イメージのストリームの中でイメージのひとつを選択して、ビデオ・ピクチャーのスナップショット（ｓｎａｐｓｈｏｔ）を捕捉するように構成されている。これは一時的メモリー、即ち、ＭＭＳエンジンのビデオＩ／Ｏメモリー又はデータＩ／Ｏメモリーのいずれかに連続的に記憶されたイメージの中で実施される。そのコンテンツをスナップショットを捕捉する実際の瞬間で取出されて、データ・バスを介してプロセッサーに送られる。実際の取出し時間はコントローラーにより制御される。プロセッサーはイメージの本来のフォーマットを決定し、事前に記憶されたアルゴリズム（ａｌｇｏｒｉｔｈｍ）に基づいてＪＰＥＧフォーマットにコンテンツを変換する。さらに、その変換には小さなスクリーン（ｓｃｒｅｅｎ）に応じて大きさを調節するためのピクチャーの縮尺が含まれる。さらに、コントローラーはＪＰＥＧイメージをＪＰＥＧメモ（ｍｅｍｏ）に伝達する。そして、ＭＭＳを１以上の音声参加者に伝送する時点が来ると、図１に示すフォーマットに基づいてプロセッサーがＭＭＳを作成する。そのコンテンツはコントローラーにより決定される。ＭＭＳ受信者のアドレスがＭＭＳヘッダー内に挿入される。そして、ＭＭＳ全体がＭＭＳ  Ｉ／Ｏメモ内に置かれると、ＪＰＥＧフォーマットのＥＰ１からスナップショットを伴うＭＭＳが、受信者が関連しているＭＭＳサーバーに伝送するように準備される。
【００２３】
ＭＭＳヘッダー内に挿入されたアドレスはｅメール・アドレスである。そのＭＭＳがＳ
ＭＴＰを用いた従来の方法でＭＭＳサーバーに送られる。そして、ＭＭＳコンテンツがＭＭＳサーバーから引き出されて（ｐｕｌ）、受信者に送られる。参加した音声参加者のＭＭＳ用ｅメール・アドレスを会議の設定で、又は、ＭＭＳ機能を持つ新しい音声参加者が進行中の会議を入力した時点で、アドレス・メモ内に記憶しなければならない。
【００２４】
スナップショットは単一の参加者からのコンテンツを含めるように限定せず、いわゆるＣＰ（連続存在Ｃｏｎｔｉｎｕｏｕｓ  Ｐｒｅｓｅｎｃｅ）ピクチャーが含まれることに留意されたい。これは何人かの参加者からの結合ピクチャーである。さらに、ＭＭＳメッセージに添付されたイメージは特定フォーマット又は静止ピクチュアに限定されず、例えば、ＭＰＥＧフォーマットのビデオ・シーケンス（ｖｉｄｅｏ  ｓｅｑｕｅｎｃｅ）にもしうることに留意されたい。そのビデオ・シーケンスはビデオＩ／Ｏメモから直接取出すことも又は静止ピクチャーを取出して、合わせることにより作成することもできる。
【００２５】
ここで、ＭＭＳのストリームとは反対方向を向いて、連続存在（ＣＰ）の受信者を除き、また、テレビ会議の音声参加者のみが捕捉して定期的に更新された静止ピクチャーを除き、テレビ会議では全参加者のビデオ・ピクチャーを含めた連続存在（ＣＰ）の図面を現在見ていると考えよう。音声参加者はＭＭＳ機能を持つセルラー・フォンとカメラを用いている。その音声参加者が会議に入るとき、会議及び（又は）ネットワーク・サーバーと関連したｅメール・アドレスを与えられている。そのｅメール・アドレスは、ＭＭＳとしてネットワーク・サーバーから伝送される（例えば、反対方向に伝送されたテレビ会議のデータを含めた最初のＭＭＳの伝送アドレス又は「帰り道（ｒｅｔｕｒｎ  ｐａｔｈ）」として）、そして、会議中に後で用いるためにセルラー・フォンのメモリーに手操作で又は自動的に挿入を行うことを意図している。ネットワーク・サーバーとセルラー・フォン／ＭＭＳサーバーの間で企業独自の信号送付プロトコールにより、呼出し設定の間にｅメール・アドレス及び（又は）他のデータも交換しうる。
【００２６】
セルラー・フォンから会議への呼出しが設定されたとき、セルラー・フォンに関連したカメラによりピクチャーを捕捉して、会議に送られるＭＭＳメッセージに挿入される。そして、そのＭＭＳメッセージがネットワーク・サーバーに、ＭＭＳサーバーを介して、ＳＭＴＰによりインターネットを通して伝送される。ＭＭＳを受信したとき、会議のＩＤ（ｉｄｅｎｔｉｆｉｃａｔｉｏｎ）が、ｅメール・アドレスを調査することによるか、又は、ＭＭＳヘッダー内で見いだされる伝送器アドレスを調査することにより与えられる。そのＭＭＳはＭＭＳＩ／Ｏメモ内に挿入される。そして、コントローラーがプロセッサーを起動して、メッセージ内に含まれる種々のメディア（ｍｅｄｉａ）要素を分離して、それらを各メモに挿入する。ここでＪＰＥＧメモ内に入っているＪＰＥＧピクチャーが、会議のＣＰ図面で用いるのに適当なフォーマットに変換されて、ビデオ又はデータのＩ／Ｏメモに挿入される。ピクチャーはメモから取出して、符号化され、ＭＣＵに伝送されて、早い時期に供給された会議ＩＤに基づいて、会議のＣＰ図面を結合する。そして、ＭＣＵが本来セルラー・フォンにより捕捉された静止画像を５件の他のビデオ・ピクチャーと共に６番目のＣＰフィールドに挿入する。変換の代わりとして、ＭＭＳメッセージから分離されたマルチメディア・データをＭＣＵに直接又はテレビ会議用のエンド・ポイントに伝送できる。これには、受信者が例えばマルチメディア・データを押出す（ｐｕｓｈ  ｏｕｔ）ために、ＩＰアドレスを指定できることが必要である。
【００２７】
会議全体で同じ静止ピクチュアにより音声参加者を見る場合に、伝送の時間と費用を低減するために、早い時期に受信したピクチュアを再使用するのが便利であろう。この目的のために、エンド・ポイント又は管理ツール（ｔｏｏｌ）に接続された名簿に登録された特定の音声参加者から受信したピクチャーが、参加者についての他の情報と共に名簿に記憶できる。名簿と共にテレビ会議用装置を含む会議に音声参加者が後で参加したとき、ピクチャーを再伝送する必要を無くして、対応するピクチャーを取出して、音声参加者を見
るために使用できる。
【００２８】
本発明の上記実施例は、ゲートウエーと共に、又は、ゲートウエーに組込まれて実施されたＭＭＳエンジンを示している。しかしながら、ＭＭＳエンジンは必ずしもゲートウエーに接続する必要はなく、スタンド・アローン（ｓｔａｎｄ−ａｌｏｎｅ）形装置にでき、又は、ＭＣＵ又はエンド・ポイントのような他のテレビ会議用ノードに組込むことができる。それは、テレビ会議用システムと関連した管理ツールの一部としうる。いずれの場合でも、組込まれた又は接続されたＭＭＳエンジン又はノードがインターネット・プロトコールに基づいてアドレスを設定できなければならない。さらに、説明は、テレビ会議とマルチメディア機能を持つ１以上の音声参加者との間で静止ピクチャーを捕捉し、伝送することに注目している。しかしながら、マルチメディアのコンテンツは静止ピクチャーに限定されず、ビデオ、テキスト及び（又は）音響で構成できる。その場合、変換時にＭＭＳエンジンのそれぞれのメモの中に配分される。
【００２９】
さらに、本発明では、ｅメールにより、マルチメディア・データをＭＭＳが可能な音声参加者に伝送できるという側面が含まれる。この場合、マルチメディア・データが変換後に通常のｅメールに添付されて、ＭＭＳサーバーを介してＭＭＳ装置に伝送される。ＭＭＳのサーバーと装置によるｅメールの処理方法は作業者次第であるが、ＭＭＳ装置へのｅメールの伝送が可能なことは公知の事実である。ｅメールのアドレスは電話番号＠ドメイン（ｄｏｍａｉｎ）になっている。ＭＭＳ装置はＭＭＳメッセージとしてｅメールを受信する。その中には、ｅメールの本文と添付資料をＭＭＳエントリー（ｅｎｔｒｉｅｓ）内に挿入される。
【００３０】
既に示したように、スナップショット又は他のマルチメディア・コンテンツを事前決定された時点又は特定の事象で捕捉し、伝送しうる。一側面として、現在のスナップショットの供給源になっているソース・ピクチャー（ｓｏｕｒｃｅ  ｐｉｃｔｕｒｅ）（ビデオ又は静止ピクチャー）の内容がかなり変化していることを検出したときに、そのような事象が生じる。その検出は例えば図３に示すネットワーク・サーバーで生じる。本発明のこの側面の一実施例に基づくと、以前に伝送されたスナップショットはネットワーク・サーバーに記憶されている。そして、そのスナップショットはソース・ピクチャーと連続的に比較される。その比較は画素ごとに比較する方法で、又は、スナップショットに関連した１以上の数値をソース・ピクチャーに関連した１以上の対応値と比較する。数値間の差が事前決定されたしきい値より大きくなったときに、一以上の音声参加者に新しいスナップショットの伝送が始まる。このことは、図４のコントローラーがビデオ又はデータのＩ／Ｏメモから読んだものをデータ・バスを介して、プロセッサーに送ることができ、それが、さらに、現在のフォーマットからＪＰＥＧにスナップショットを変換し、そのＪＰＥＧイメージをＪＰＥＧメモの中に挿入することを意味する。
【００３１】
新しいスナップショットの伝送を開始できるひとつの事象は表示内のページ（ｐａｇｅ）移動である。他の例は音声切替えが有効になって、又、フロア（ｆｌｏｏｒ）移動が行われるときである。完全に異なるイメージが、会議内のメイン・ビデオ・ピクチャーとして生じる。そして、新しいスナップショットの伝送が開始される。
【００３２】
事象で開始するスナップショット（又は他のマルチメディア・データ）の代わりに、新スナップショットの捕捉も定期的に伝送しうる。最初のスナップショットが呼出しの設定時に捕捉される。音声参加者からテレビ会議への反対方向のマルチメディア・データの伝送がそれに応じて開始できるが、決定メカニズム（ｍｅｃｈａｎｉｓｍ）はＭＭＳ装置内で又はＭＭＳないしセルラー・ネットワーク・アーキテクチャーの中の別の場所で実施できよう。ＭＭＳ装置内の決定メカニズムを実施する場合、ある種の企業独自のソフトウエア（ｓｏｆｔｗａｒｅ）を組込む必要がある。
【００３３】
さらに、別の理由で、セルラー・フォン内に特別なソフトウエアを組込むことがあって、それが通常のテレビ会議に参加する可能性を高める場合がある。音声参加者の機能と利益を高めるために、本発明の先進的ＭＭＳ機能を実現することは、できるだけ直感的で、消耗を小さくすべきである。もし、ユーザーが会議中にピクチャーを手操作で送信・受信を行う必要がある場合、参加は不便になる。それで、本発明の好ましい実施例によれば、ＭＭＳ装置はソフトウエアと共に、スナップショットの捕捉、送信、受信に関するメッセージの送信と受信の両方の信号操作を行なえる。代わりに、種々の時点で受信したコンテンツを統合することに加えて、会議からマルチメディア・データの提示に連続性を与える。ソフトウエアはネットウエア・サーバー／会議のｅメール・アドレスを受信し、記憶するように調節されていて、マルチメディア・データを会議に伝送するとき、このアドレスを自動的に取出して、ＭＭＳヘッダー内に挿入する。好ましくはソフトウエアはＪａｖａ記述として組込まれているが、それは、特注機能を持つ小さな装置を提供するために柔軟なツールになっているからである。さらに、多くのセルラー・フォンとモバイル・デバイスは現在Ｊａｖａ技術を組込んでいる。
【００３４】
好ましくは、テレビ会議側でのスナップショットの捕捉も、音声参加者からの手操作、自動、遠隔操作により開始できるようにすべきである。本発明の好ましい実施例では、それゆえ、セルラー・フォンに組込まれたソフトウエアは、ネットワーク・サーバーに対してスナップショット捕捉の請求を発生し、かつ、伝送できるように構成される。それに応じて、ＭＭＳエンジンはＩ／Ｏメモのひとつからスナップショットを（又は、他のマルチメディア・データを）捕捉し、それを適当なフォーマットに変換し、そのスナップショットを音声参加者のＭＭＳ装置に戻す。
【００３５】
ある場合に、ＭＭＳ装置内で種々の時点で受信したマルチメディアのコンテンツが、そのコンテンツをお互いに統合することにより、それによってテレビ会議からＭＭＳを介して伝送されたデータに連続性を与えることで利益を生じる。例えば、リアル・タイムのビデオ表示をいくつかのスナップショット、又は、ビデオ・ピース（ｖｉｄｅｏ  ｐｉｅｃｅｓ）から作成できて、ＭＭＳエンジンから分離したＭＭＳメッセージ内で連続的に伝送される。この場合もソフトウエアを、流入するマルチメディア・データを連続的に受信し、記憶するように、又、連続的なビデオのストリームになるように思われる方法でＭＭＳ装置のスクリーン（ｓｃｒｅｅｎ）上に提示するように構成する。
【００３６】
しかしながら、リアル・タイムのビデオ提示は大きく及び（又は）多くのＭＭＳメッセージの伝送を意味していて、多分、音声参加者に達する実質的な帯域を必要とする。しかしながら、テレビ会議のピクチャーをＭＭＳエンジン内でＪＰＥＧフォーマットに変換する代わりに、標準の又は企業独自の符号化技術に基づいてピクチャーを符号化することにより、又、ＭＭＳメッセージ内の入力部のひとつにそれぞれの符号化したピクチャーを一般的添付資料として挿入することにより、帯域の必要量を低減できる。この場合、セルラー・フォン内のソフトウエアもＭＭＳエンジンが用いる符号化技術に基づいて、ＭＭＳメッセージ内で添付資料の符号解読を行なえる構成になっている必要がある。
【００３７】
上記のセルラー・フォン内のソフトウエアの任務にはＭＭＳ装置とＭＭＳエンジンの間での信号授受とネゴシエーション（ｎｅｇｏｔｉａｔｉｏｎ）を必要とするだろう。この情報交換は、依然として伝送中で、仮想の別個の信号チャンネル（ｃｈａｎｎｅｌ）を作成しているＭＭＳメッセージのテキスト又はプレゼンテーション（ｐｒｅｓｅｎｔａｔｉｏｎ）のフィールド（ＭＭＳエンジン内のテキスト又はプレゼンテーションのメモ内に一時的）に挿入できる。この情報にはスナップショットの請求、スナップショットの捕捉を開始する事象のタイプ（ｔｙｐｅ）、及び、同期情報が含まれる。
【００３８】
本発明の実施例には通常のテレビ会議でのＭＭＳ機能を組込んだＭＭＳエンジンとして上記の説明内で示されている。しかしながら、本発明の基本的アイデア（ｉｄｅａ）は全般的方法の中にも含まれている。その方法には、一方向で、テレビ会議のデータ、例えば、１以上の参加者のビデオ・ピクチャーのスナップショット又はＣＰピクチャーを捕捉すること、そのデータを適当なフォーマットに変換すること、及び、変換したデータをＭＭＳメッセージ内の添付資料として挿入すること、が含まれる。ＭＭＳメッセージはＩＰアドレスが可能な装置から１以上のＭＭＳが可能な音声参加者に、ＭＭＳインフラストラクチャーを介して伝送される。その音声参加者はＭＭＳメッセージに添付されたテレビ会議のデータを取出して、そのデータを音声参加者が参加する会議の部分として提示する。
【００３９】
反対方向では、音声参加者が、ある種のマルチメディア・データ、通常、静止ピクチャー又はその音声参加者を示す他のなんらかのデータを捕捉し、そのマルチメディア・データをＭＭＳメッセージに挿入する。そのＭＭＳメッセージを、テレビ会議システムに接続されたＩＰアドレスを扱えるノード向けにアドレス設定をして、伝送する。次ぎに、その添付資料をＭＭＳメッセージから取出して、適当なテレビ会議用のフォーマットに変換する。その変換されたマルチメディア・データを符号化し、選択肢として、他の参加者からのデータと結合した後で、１以上の通常のテレビ会議参加者に伝送される。
【図面の簡単な説明】
【００４０】
【図１】ＭＭＳメッセージのフォーマットを示す。
【図２】通常のＭＭＳアーキテクチャーを示す。
【図３】通常のＭＭＳアーキテクチャーの一部に接続したテレビ会議のアーキテクチャーを示す。
【図４】本発明の好ましい実施例に基づくＭＭＳエンジンを示す。
【図１】
2007513537.tif 000003
【図２】
2007513537.tif 000004
【図３】
2007513537.tif 000005
【図４】
2007513537.tif 000006
【国際調査報告】
2007513537.tif 000007
2007513537.tif 000008